(57)【要約】【課題】ＵＳＢメモリ等の外部メモリに記憶された文書ファイルの印刷において、印刷条件を適宜変更することができる印刷装置、および印刷装置の印刷方法を提供すること。【解決手段】プリンタ２は、設定記述ファイルＳＦや文書ファイルＤＦを記憶するＵＳＢメモリ４がＵＳＢＩ／Ｆ３１に装着された場合に、ＵＳＢメモリ４に記憶された設定記述ファイルＳＦや文書ファイルＤＦを管理するファイル管理部３２０と、設定記述ファイルＳＦに従って文書ファイルＤＦの一括印刷を制御する印刷制御部３２１、印刷制御部３２１からの印刷要求を受けて文書ファイルＤＦの印刷処理を実行するファイル印刷部３２２とを備えている。印刷制御部３２１は、ユーザー操作等により一括印刷の印刷条件を変更する指示がなされると、設定記述ファイルＳＦに指定された印刷条件を変更指示に応じて変更し、ファイル印刷部３２２は、変更後の印刷条件に従って一括印刷を行う。【選択図】図１
2009226834.tif 000002
【特許請求の範囲】
【請求項１】
１または複数の画像ファイル、および印刷の対象とする前記画像ファイルを指定すると共に印刷条件を指定する設定ファイルを記憶する外部メモリが装着される装着手段と、
前記装着された外部メモリから、前記設定ファイルおよび前記設定ファイルに指定された前記画像ファイルを取得する取得手段と、
前記取得した設定ファイルに基づいて印刷条件を設定し、前記設定された印刷条件に従って前記取得した画像ファイルの印刷を制御する印刷制御手段と、を備える印刷装置であって、
前記設定された印刷条件の変更を指示する指示入力を受ける入力手段を、さらに備え、
前記印刷制御手段は、前記指示入力に従って前記印刷条件の設定を変更し、変更後の印刷条件に従って前記取得した画像ファイルの印刷を制御することを特徴とする印刷装置。
【請求項２】
請求項１に記載の印刷装置において、
前記印刷条件の設定を変更するための設定画面を表示する表示手段をさらに備え、
前記入力手段は、前記設定画面に従う指示入力を受けることを特徴とする印刷装置。
【請求項３】
請求項２に記載の印刷装置において、
前記外部メモリは、複数の前記設定ファイルを記憶し、
前記表示手段は、前記外部メモリに記憶された前記設定ファイルから、処理の対象とする前記設定ファイルを選択するための選択画面を表示し、
前記入力手段は、前記選択画面に従って前記設定ファイルを選択する指示入力を受け、
前記印刷制御手段は、前記指示入力により選択された前記設定ファイルに従って処理を行うことを特徴とする印刷装置。
【請求項４】
１または複数の画像ファイル、および印刷の対象とする前記画像ファイルを指定すると共に印刷条件を指定する設定ファイルを記憶する外部メモリが装着される装着手段を備え、前記装着された外部メモリから前記設定ファイルおよび前記設定ファイルに指定された前記画像ファイルを取得して、前記取得した設定ファイルに基づいて印刷条件を設定し、前記設定された印刷条件に従って前記取得した画像ファイルの印刷を行う印刷装置の印刷方法であって、
前記設定された印刷条件の変更を指示する指示入力を受ける入力ステップと、
前記指示入力に従って前記印刷条件の設定を変更する設定変更ステップと、
変更後の印刷条件に従って前記取得した画像ファイルの印刷を行う印刷ステップと、を含むことを特徴とする印刷装置の印刷方法。
【発明の詳細な説明】
【技術分野】
【０００１】
本発明は、ＵＳＢメモリ等の可搬性を有する外部メモリに記憶されたファイルの印刷を行う印刷装置、および印刷装置の印刷方法に関する。
【背景技術】
【０００２】
従来、プリンタや複合機等の印刷装置には、印刷対象とするファイルを記憶する外部メモリが着脱可能に構成され、装着された外部メモリに記憶されたファイルの印刷を行う機能を備えられたものが知られている。
【０００３】
また、特許文献１，２には、外部メモリに記憶されたファイルを印刷する際に、ユーザー操作等のユーザーにかかる負担を低減するため、外部メモリが装着されると、印刷装置が外部メモリ内のファイルを自動的に検索して、ファイルの印刷を行う技術が開示されている。この技術によれば、ユーザーは、外部メモリを画像形成装置に装着することにより、外部メモリに記憶されたファイルの印刷を簡単に行うことができる。
【０００４】
【特許文献１】特開２００６−１１０８６０号公報
【特許文献２】特開２００６−１１８０７号公報
【発明の開示】
【発明が解決しようとする課題】
【０００５】
しかしながら、特許文献１，２に記載の技術では、外部メモリに記憶されたファイルの印刷が自動的に行われ、例えば、部数、用紙サイズ等の印刷条件を適宜変更することができないので、ユーザーが意図した印刷結果を得ることができないという課題があった。
【課題を解決するための手段】
【０００６】
本発明は、上述の課題の少なくとも一部を解決するためになされたものであり、以下の形態または適用例として実現することが可能である。
【０００７】
［適用例１］１または複数の画像ファイル、および印刷の対象とする前記画像ファイルを指定すると共に印刷条件を指定する設定ファイルを記憶する外部メモリが装着される装着手段と、前記装着された外部メモリから、前記設定ファイルおよび前記設定ファイルに指定された前記画像ファイルを取得する取得手段と、前記取得した設定ファイルに基づいて印刷条件を設定し、前記設定された印刷条件に従って前記取得した画像ファイルの印刷を制御する印刷制御手段と、を備える印刷装置であって、前記設定された印刷条件の変更を指示する指示入力を受ける入力手段を、さらに備え、前記印刷制御手段は、前記指示入力に従って前記印刷条件の設定を変更し、変更後の印刷条件に従って前記取得した画像ファイルの印刷を制御することを特徴とする印刷装置。
【０００８】
この構成によれば、ユーザーは、印刷条件の変更を指示する指示入力を入力手段に入力することにより、外部メモリに記憶された画像ファイルの印刷における印刷条件を所望の印刷条件に適宜変更することができる。したがって、ユーザーが意図した印刷結果を得ることができる。
【０００９】
［適用例２］上記印刷装置において、前記印刷条件の設定を変更するための設定画面を表示する表示手段をさらに備え、前記入力手段は、前記設定画面に従う指示入力を受けることを特徴とする印刷装置。
【００１０】
この構成によれば、ユーザーは、表示手段に表示される設定画面に従って、印刷条件の変更を簡単に行うことができる。
【００１１】
［適用例３］上記印刷装置において、前記外部メモリは、複数の前記設定ファイルを記憶し、前記表示手段は、前記外部メモリに記憶された前記設定ファイルから、処理の対象とする前記設定ファイルを選択するための選択画面を表示し、前記入力手段は、前記選択画面に従って前記設定ファイルを選択する指示入力を受け、前記印刷制御手段は、前記指示入力により選択された前記設定ファイルに従って処理を行うことを特徴とする印刷装置。
【００１２】
この構成によれば、ユーザーは、外部メモリに記憶された複数の設定ファイルのうち、印刷の対象とする設定ファイルを任意に選択して、設定ファイルに従う印刷を行うことができる。
【００１３】
［適用例４］１または複数の画像ファイル、および印刷の対象とする前記画像ファイルを指定すると共に印刷条件を指定する設定ファイルを記憶する外部メモリが装着される装着手段を備え、前記装着された外部メモリから前記設定ファイルおよび前記設定ファイルに指定された前記画像ファイルを取得して、前記取得した設定ファイルに基づいて印刷条件を設定し、前記設定された印刷条件に従って前記取得した画像ファイルの印刷を行う印刷装置の印刷方法であって、前記設定された印刷条件の変更を指示する指示入力を受ける入力ステップと、前記指示入力に従って前記印刷条件の設定を変更する設定変更ステップと、変更後の印刷条件に従って前記取得した画像ファイルの印刷を行う印刷ステップと、を含むことを特徴とする印刷装置の印刷方法。
【００１４】
このようにすれば、ユーザーは、印刷条件を変更する指示を入力することにより、外部メモリに記憶された画像ファイルの印刷における印刷条件を所望の印刷条件に変更することができるので、ユーザーが意図した印刷結果を得ることができる。
【発明を実施するための最良の形態】
【００１５】
以下、本発明の実施の形態について実施例に基づいて説明する。
【００１６】
図１は、本実施例に係る印刷システムの構成を示した図である。図１に示すように、印刷システム１には、印刷装置の一例であるプリンタ２と、プリンタ２のホスト装置であるホストコンピュータ３が含まれている。なお、この印刷システム１は、ＵＳＢメモリ４を用いて、ホストコンピュータ３からプリンタ２に受け渡したデータに従って印刷を行うシステムであり、特に、プリンタ２へのユーザー操作による一度の印刷指示で、ＵＳＢメモリ４に格納された複数のファイルに対する印刷（以下、「一括印刷」という）を一括して行うものである。以下、印刷システム１の各構成について説明する。
【００１７】
ホストコンピュータ３は、キーボードやマウスが接続されたパーソナルコンピュータ等であり、プリンタドライバ１０と、一括印刷用ソフトウェア２０を有する。プリンタドライバ１０は、ユーザー操作等に基づいて、アプリケーション（図示せず）等から印刷対象とする文書データ等を受け取って、その文書データの画像データと制御コマンドとを含む印刷データを生成する処理等を行う。
【００１８】
一括印刷用ソフトウェア２０は、ユーザー操作等に基づいて、文書作成ソフトウェア等のアプリケーション（図示なし）から印刷対象とする文書データ等を受け取って文書データをＵＳＢメモリ４に格納する処理や、プリンタドライバ１０から受け取った印刷データをＵＳＢメモリ４に格納する処理等を行うソフトウェアである。なお、以下では、ＵＳＢメモリ４に格納された文書データのファイルや印刷データのファイルを「文書ファイル」と称することにする。
【００１９】
また、一括印刷用ソフトウェア２０は、ユーザー操作等に基づいて、一括印刷の対象とする文書ファイルＤＦを指定する記述や、印刷部数、カラー印刷、用紙サイズ、両面印刷等に関する印刷条件を指定する記述を含む設定記述ファイルＳＦを生成する処理、および文書ファイルＤＦと共に設定記述ファイルＳＦをＵＳＢメモリ４に格納する処理を行う。すなわち、ＵＳＢメモリ４に格納された文書ファイルＤＦのうち一括印刷の対象となる文書ファイルＤＦと、一括印刷の印刷条件とが、同じＵＳＢメモリ４に格納された設定記述ファイルＳＦによって指定されるようになっている。なお、本実施例では、図１に例として示すように、１つのＵＳＢメモリ４には、ユーザー操作等に基づいて、複数の文書ファイルＤＦ１，ＤＦ２，…、および複数の設定記述ファイルＳＦ１，ＳＦ２，…が格納されるものとして説明する。
【００２０】
次に、プリンタ２の構成について説明する。プリンタ２は、コントローラ３０と、コントローラ３０の制御により印刷用紙等の印刷媒体に印刷を行う印刷エンジン４０と、表示パネル（表示手段）５１および操作ボタン（入力手段）５２を有する操作パネル５０と、を備えている。
【００２１】
コントローラ３０は、印刷エンジン４０や操作パネル５０の動作を制御する部分であり、ＵＳＢＩ／Ｆ（装着手段）３１と、ＣＰＵ３２と、ＲＯＭ３３と、ＲＡＭ３４と、エンジンＩ／Ｆ３５と、パネルＩ／Ｆ３６を有している。
【００２２】
ＵＳＢＩ／Ｆ３１は、ＵＳＢ機器とコントローラ３０とのインターフェイス部分であり、ＵＳＢメモリ４が着脱可能に装着されるスロット部やＵＳＢ機器とのデータ通信を司るＵＳＢコントローラ等を含んでいる。
【００２３】
ＲＯＭ３３には、プリンタ２を制御するための各種プログラムが予め記憶されている。ＲＡＭ３４は、後述する文書ファイル管理領域３４０、設定ファイル管理領域３４１、および各種処理を行うための作業領域等として用いられるメモリである。ＣＰＵ３２は、プリンタ２における各種処理を制御するコントローラ３０の主制御装置であり、主にＲＯＭ３３に記憶されたプログラムを実行することにより、印刷エンジン４０による印刷を制御する処理、操作パネル５０を制御する処理等を司る。
【００２４】
エンジンＩ／Ｆ３５は、コントローラ３０と印刷エンジン４０とのインターフェイスを司る部分であり、印刷を実行する際に、印刷対象のデータに所定の処理を施した後、処理後のデータを印刷エンジン４０に出力する処理を行う。なお、このエンジンＩ／Ｆ３５には、データを一時的に格納するメモリ、解凍部、スクリーン処理部等が備えられ、ＲＡＭ３４から読み出した画像データに対して、圧縮されたデータの解凍、ドットのデータへ変換するスクリーン処理等を行う。これらの機能を有するエンジンＩ／Ｆ３５は、具体的には、ＡＳＩＣ（Application Specific Integrated Circuit）で構成されている。
【００２５】
また、特に、ＣＰＵ３２は、ＵＳＢＩ／Ｆ３１にＵＳＢメモリ４が装着された場合に、ＵＳＢメモリ４に記憶された設定記述ファイルＳＦや文書ファイルＤＦを管理するファイル管理部（取得手段）３２０と、設定記述ファイルＳＦに従う一括印刷を制御する印刷制御部（印刷制御手段）３２１、印刷制御部３２１からの印刷要求を受けて文書ファイルＤＦの印刷処理を実行するファイル印刷部３２２として機能する。そして、ユーザー操作等によって一括印刷における印刷条件の変更指示がなされると、印刷制御部３２１は、設定記述ファイルＳＦに指定された印刷条件を変更指示に応じて変更し、ファイル印刷部３２２が変更後の印刷条件に従って一括印刷を行うように制御することが、プリンタ２の特徴的な処理の１つになっている。
【００２６】
次に、上述した構成をもつプリンタ２において、ＵＳＢメモリ４が装着された時に行われる処理について、図２のフローチャートに従って説明する。なお、図２の処理は、ＲＯＭ３３に記憶されたプログラムを実行することにより、ＣＰＵ３２がファイル管理部３２０として行う処理である。
【００２７】
ＵＳＢメモリ４がＵＳＢＩ／Ｆ３１に装着されて、ＵＳＢメモリ４の装着が検出されると、図２の処理を開始して、ファイル管理部３２０は、装着されたＵＳＢメモリ４のメモリ領域上において文書ファイルＤＦを検索する（ステップＳ１００）。そして、検索された文書ファイルＤＦの文書ファイル管理ブロックを、ＲＡＭ３４のメモリ領域上に確保された文書ファイル管理領域３４０に格納する（ステップＳ１１０）。ここで、文書ファイル管理ブロックはＵＳＢメモリ４に記憶された文書ファイルをプリンタ２側から管理するための情報であり、図３に示すように、１つの文書ファイル管理ブロックＤＢには、文書ファイルＤＦのファイル名と、文書ファイルＤＦの格納場所を示すパス情報と、印刷部数、カラー設定、用紙サイズ、両面印刷等の設定情報とが含まれている。この文書ファイル管理ブロックＤＢは、ＵＳＢメモリ４に格納された文書ファイルＤＦ１，ＤＦ２，…のそれぞれに対して設定され、文書ファイルＤＦ１に対応する文書ファイル管理ブロックＤＢ１、文書ファイルＤＦ２に対応する文書ファイル管理ブロックＤＢ２、…が文書ファイル管理領域３４０に格納される。
【００２８】
次に、ファイル管理部３２０は、ＵＳＢメモリ４のメモリ領域上において設定記述ファイルＳＦを検索し（ステップＳ１２０）、ＵＳＢメモリ４に設定記述ファイルＳＦが格納されていたか否かを判断する（ステップＳ１３０）。設定記述ファイルＳＦが格納されていなければ（ステップＳ１３０：Ｎｏ）、装着されたＵＳＢメモリ４に記憶された文書ファイルＤＦについては一括印刷が指定されていないので、文書ファイル管理ブロックＤＢを文書ファイル管理領域３４０に格納した状態で図２の処理を終了する。設定記述ファイルＳＦが格納されていれば（ステップＳ１３０：Ｙｅｓ）、ファイル管理部３２０は、ＵＳＢメモリ４から設定記述ファイルＳＦを読み込んで、設定記述ファイルＳＦを取得する（ステップＳ１４０）。
【００２９】
次に、ファイル管理部３２０は、取得した設定記述ファイルＳＦによって一括印刷の対象に指定された文書ファイルＤＦを、ＵＳＢメモリ４のメモリ領域上において検索し（ステップＳ１５０）、該当する文書ファイルＤＦが格納されていたか否かを判断する（ステップＳ１６０）。一括印刷の対象に指定された文書ファイルＤＦがＵＳＢメモリ４に記憶されていれば（ステップＳ１６０：Ｙｅｓ）、ＲＡＭ３４のメモリ領域上に確保された設定ファイル管理領域３４１に、検索された文書ファイルＤＦのファイル名を登録して（ステップＳ１７０）、設定記述ファイルＳＦのうち、検索された文書ファイルＤＦについての設定情報を設定ファイル管理領域３４１に登録する（ステップＳ１８０）。これにより、図４に示すように、設定ファイル管理領域３４１には、設定記述ファイルＳＦのファイル名、設定記述ファイルＳＦにおいて一括印刷の対象に指定された文書ファイルＤＦのうちＵＳＢメモリ４に格納されていたファイルについてのファイル名、および印刷部数、カラー印刷、用紙サイズ、両面印刷の設定情報を含む設定ファイル管理ブロックＳＢが登録される。なお、ＵＳＢメモリ４に複数の設定記述ファイルＳＦが格納されていた場合は、各設定記述ファイルＳＦについて設定ファイル管理ブロックＳＢ１，ＳＢ２，…が登録される。
【００３０】
一方、ステップＳ１６０において、取得した設定記述ファイルＳＦによって一括印刷の対象に指定された文書ファイルＤＦに該当するファイルがＵＳＢメモリ４になかった場合（ステップＳ１６０：Ｎｏ）、一括印刷の対象に指定された文書ファイルＤＦが、実際にはＵＳＢメモリ４に格納されていない状態であり、一括印刷を行うことができない。そこで、ファイル管理部３２０は、この設定記述ファイルＳＦについては設定ファイル管理領域３４１に格納しないことにより、設定記述ファイルＳＦを無効化する（ステップＳ１９０）。これにより、一括印刷の対象に指定する文書ファイルＤＦが、同じＵＳＢメモリ４に格納されていない設定記述ファイルＳＦについての選択肢が、後述する一括印刷ファイル選択画面に表示されなくなって選択できないようになる。
【００３１】
ステップＳ１８０またはステップＳ１９０の処理を終えると、ＵＳＢメモリ４の装着時に行われる図２の処理が終了する。図２の処理を行うことにより、装着されたＵＳＢメモリ４に格納された文書ファイルＤＦに対応する文書ファイル管理ブロックＤＢが文書ファイル管理領域３４０に登録されると共に（図３参照）、ＵＳＢメモリ４に格納された設定記述ファイルＳＦに対応する設定ファイル管理ブロックＳＢが設定ファイル管理領域３４１に登録された（図４参照）状態となって処理が終了する。
【００３２】
そして、図２の処理後に、操作パネル５０へのユーザー操作等により、ＵＳＢメモリ４に記憶された文書ファイルＤＦを個別に印刷する指示がなされたときには、印刷制御部３２１は、指示された文書ファイルＤＦに対応する文書ファイル管理ブロックＤＢのパス情報に従って、ＵＳＢメモリ４から文書ファイルＤＦのデータを読み出す。そして、文書ファイル管理ブロックＤＢの設定情報に従う印刷条件により、読み出した文書ファイルＤＦを印刷するよう印刷要求をファイル印刷部３２２に出すことにより、指定された文書ファイルＤＦの印刷が行われる。
【００３３】
一方、ユーザー操作等により、一括印刷を行う旨の指示が入力されると、図５のフローチャートに示す一括印刷の処理が開始される。なお、図５の処理は、ＲＯＭ３３に記憶されたプログラムを実行することにより、ＣＰＵ３２が印刷制御部３２１として行う処理である。
【００３４】
図５の処理を開始すると、印刷制御部３２１は、操作パネル５０の表示パネル５１に一括印刷ファイル選択画面を表示させる（ステップＳ２００）。ここでは、まず、図６（ａ）に例として示す一括印刷ファイル選択画面（選択画面）１００が表示される。一括印刷ファイル選択画面１００には、ＵＳＢメモリ４に記憶された各設定記述ファイルＳＦについて、設定記述ファイルＳＦの一括印刷名にする対応する選択肢１０１が表示される。そして、操作パネル５０へのユーザー操作により、ユーザーが所望する一括印刷名の選択肢１０１を選択すると、図６（ｂ）に例として示す印刷条件設定画面（設定画面）２００が表示される（ステップＳ２１０）。印刷条件設定画面２００には、印刷部数、カラー設定、用紙サイズ、両面印刷の設定のそれぞれについて設定値が表示されると共に、設定を変更するためのタブ２０１が含まれている。ユーザーは、操作ボタン５２を操作して、変更しようとする印刷条件に対応するタブ２０１を選択して値を入力することにより、印刷条件の設定変更を指示する。そして、ユーザー操作により所定の印刷開始ボタンが押下されて印刷開始が指示されると、ステップＳ２２０に進む。
【００３５】
次に、印刷制御部３２１は、印刷条件設定画面２００において設定の変更が指示されたか否かを判断する（ステップＳ２２０）。設定の変更が指示されていれば（ステップＳ２２０：Ｙｅｓ）、図７に例として示すように、設定ファイル管理領域３４１に格納された設定ファイル管理ブロックＳＢの設定情報を、印刷条件設定画面２００において入力された変更指示に対応する設定情報に書き換えることにより、設定ファイル管理ブロックＳＢに登録された設定情報を変更して（ステップＳ２３０）、ステップＳ２４０に進む。変更が指示されていなければ（ステップＳ２１０：Ｎｏ）、印刷条件を変更することなく、ステップＳ２４０に進む。
【００３６】
ステップＳ２４０に処理が進むと、印刷制御部３２１は、一括印刷ファイル選択画面１００において選択された設定記述ファイルＳＦに対応する設定ファイル管理ブロックＳＢを、設定ファイル管理領域３４１から取得し（ステップＳ２４０）、取得した設定ファイル管理ブロックＳＢに指定された文書ファイル名を取得する（ステップＳ２５０）。そして、取得した文書ファイル名に対応する文書ファイル管理ブロックＤＢを文書ファイル管理領域３４０から取得する（ステップＳ２６０）。ここで、取得された文書ファイル管理ブロックＤＢは、ＲＡＭ３４の作業領域上に格納される。例えば、図４に示すように、文書ファイルＤＦ１、文書ファイルＤＦ３が一括印刷の対象に指定した設定ファイル管理ブロックＳＢ１が選択されている場合、図８に例として示すように、文書ファイルＤＦ１の文書ファイル管理ブロックＤＢ１と、文書ファイルＤＦ３の文書ファイル管理ブロックＤＢ３とが、文書ファイル管理領域３４０から読み出されて、ＲＡＭ３４の作業領域上に格納される。
【００３７】
次に、印刷制御部３２１は、設定ファイル管理領域３４１に登録された設定ファイル管理ブロックＳＢから設定情報を読み出し、作業領域上に格納された文書ファイル管理ブロックＤＢに設定情報を格納する（ステップＳ２７０）。ここでは、図９に例として示すように、文書ファイル管理ブロックＤＢ１，ＤＢ３の設定情報が、設定ファイル管理ブロックＳＢ１に指定された一括印刷の印刷条件に書き換えられる。これにより、ステップＳ２２０において設定情報を変更している場合には、作業領域上に格納された文書ファイル管理ブロックＤＢの設定情報が、変更後の設定情報に書き換えられることになる。
【００３８】
次に、印刷制御部３２１は、ファイル印刷部３２２に文書ファイルＤＦの印刷要求を出す（ステップＳ２８０）。印刷要求を受けたファイル印刷部３２２は、ＲＡＭ３４の作業領域に格納された文書ファイル管理ブロックＤＢのパス情報に従って、ＵＳＢメモリ４に格納された文書ファイルＤＦを読み出し、この文書ファイル管理ブロックＤＢの設定情報に指定された印刷条件に従う印刷用の画像データを生成する。そして、生成した画像データをエンジンＩ／Ｆ３５を介して印刷エンジン４０に出力することにより、選択された設定記述ファイルＳＦにより一括印刷の対象に指定された文書ファイルＤＦの内容が、ＵＳＢメモリ４に格納された設定記述ファイルＳＦに指定された印刷条件、または印刷条件設定画面２００において変更された印刷条件に従って一括印刷される。
【００３９】
なお、ステップＳ２１０の処理が入力ステップ、ステップＳ２３０の処理が設定変更ステップ、ステップＳ２８０の処理が印刷ステップに相当する。
【００４０】
以上に述べたように、本プリンタ２では、ユーザーは、ＵＳＢメモリ４に記憶された文書ファイルＤＦの一括印刷を指示する場合に、一括印刷ファイル選択画面１００および印刷条件設定画面２００に従って印刷条件の変更を指示することにより、印刷部数、カラー印刷、用紙サイズ、両面印刷等、一括印刷の印刷条件を適宜変更することができる。したがって、一括印刷において、ユーザーに所望の印刷条件による印刷結果を得ることができる。
【００４１】
また、ＵＳＢメモリ４に格納された複数の文書ファイルＤＦを印刷する際、文書ファイルＤＦごとに印刷指示を出す必要がなく、ユーザーは、一括印刷ファイル選択画面１００において、複数の文書ファイルＤＦを一括印刷の対象にした設定記述ファイルＳＦを選択することによって、複数の文書ファイルＤＦの印刷を簡単に行うことができる。さらに、一括印刷ファイル選択画面１００において、ユーザーは、複数の設定記述ファイルＳＦのうちから一括印刷に用いる設定記述ファイルＳＦを任意に選択することができ、所望の一括印刷を行うことができる。
【００４２】
以上、印刷装置の一実施例について説明したが、以下の変形例としてもよい。
【００４３】
（変形例１）上記実施例では、一括印刷における印刷部数、カラー印刷の設定、用紙サイズ、両面印刷について、印刷条件の変更を可能としたが、変更対象となる印刷条件はこれに限られない。例えば、印刷解像度、印刷ページ、普通紙等の用紙設定、印刷濃度、割付印刷等の設定について変更できるようにしてもよい。また、一括印刷の対象に指定された文書ファイルＤＦごとに、別々の印刷条件に変更できるようにしてもよい。
【００４４】
（変形例２）上記実施例では、ＵＳＢメモリ４に文書ファイルＤＦを格納するようにしたが、外部メモリとしてはこれに限られることなく、メモリカード等の様々な記憶媒体を用いるようにしてもよい。
【００４５】
（変形例３）印刷装置としてはプリンタ２に限られることなく、プリンタ機能に加えてスキャナ機能等を備えた複合機や、ファックスであってもよい。
【図面の簡単な説明】
【００４６】
【図１】本実施例に係る印刷システムの構成を示した図。
【図２】ＵＳＢメモリ装着時の処理の流れを示したフローチャート。
【図３】文書ファイル管理ブロックを説明するための図。
【図４】設定ファイル管理ブロックを説明するための図。
【図５】一括印刷時の処理の流れを示したフローチャート。
【図６】表示パネルに表示される画面を示した図であり、（ａ）は一括印刷ファイル選択画面、（ｂ）は印刷条件設定画面の一例を示した図。
【図７】一括印刷において、設定ファイル管理ブロックに指定された設定情報を変更する処理を説明する図。
【図８】一括印刷において、文書ファイル管理ブロックを取得する処理を説明する図。
【図９】一括印刷において、設定ファイル管理ブロックに指定された設定情報を文書ファイル管理ブロックに反映させる処理を説明する図。
【符号の説明】
【００４７】
１…印刷システム、２…印刷装置としてのプリンタ、３…ホストコンピュータ、４…外部メモリとしてのＵＳＢメモリ、１０…プリンタドライバ、２０…一括印刷用ソフトウェア、３０…コントローラ、３１…装着手段としてのＵＳＢＩ／Ｆ、３２…ＣＰＵ、３３…ＲＯＭ、３４…ＲＡＭ、３５…エンジンＩ／Ｆ、３６…パネルＩ／Ｆ、４０…印刷エンジン、５０…操作パネル、５１…表示手段としての表示パネル、５２…入力手段としての操作ボタン、１００…選択画面としての一括印刷ファイル選択画面、１０１…選択肢、２００…設定画面としての印刷条件設定画面、２０１…タブ、３２０…取得手段としてのファイル管理部、３２１…印刷制御手段としての印刷制御部、３２２…ファイル印刷部、３４０…文書ファイル管理領域、３４１…設定ファイル管理領域、ＤＦ…画像ファイルとしての文書ファイル、ＳＦ…設定ファイルとしての設定記述ファイル、ＤＢ…文書ファイル管理ブロック、ＳＢ…設定ファイル管理ブロック。
【図１】
2009226834.tif 000003
【図２】
2009226834.tif 000004
【図３】
2009226834.tif 000005
【図４】
2009226834.tif 000006
【図５】
2009226834.tif 000007
【図６】
2009226834.tif 000008
【図７】
2009226834.tif 000009
【図８】
2009226834.tif 000010
【図９】
2009226834.tif 000011